(57)【要約】【課題】過大な設備投資をすることなく、展示物の関連知識等を最適なタイミングで利用者に取得させることができ、結果として利用者の利便性の向上に資すると共にその動員数の向上を図ることが可能な鑑賞補助システムを提供する。【解決手段】各展示物Ｄの近傍に設置されている各センサ端末１０毎の検出可能領域内に存在する利用者が携行するガイダンス端末２０を、展示物Ｄ毎且つガイダンス端末２０毎に識別し、当該利用者の位置に最も近い展示物Ｄについてのガイダンス情報ＧＶを、配信端末３０を介してコンテンツサーバ４０からその識別されたガイダンス端末２０夫々に無線配信する。【選択図】図１
2010033557.tif 000002
【特許請求の範囲】
【請求項１】
鑑賞対象たる鑑賞物に備えられたセンサ装置と、前記鑑賞物を鑑賞する鑑賞者に携帯されるべき端末装置と、前記端末装置に対して前記鑑賞物の鑑賞を補助するための鑑賞補助情報を配信する配信装置と、を備える鑑賞補助システムにおいて、
前記センサ装置は、
当該センサ装置が備えられている前記鑑賞物の鑑賞が可能な鑑賞可能領域内に前記鑑賞者が存在しているか否かを検出する鑑賞者検出手段と、
前記鑑賞可能領域内に前記鑑賞者が存在することが検出されたとき、当該存在が検出された鑑賞者が携帯している前記端末装置に対して、当該センサ装置が備えられている前記鑑賞物を他の前記鑑賞物から識別するための鑑賞物識別情報を送信するセンサ装置送信手段と、
を備え、
前記端末装置は、
前記鑑賞物識別情報を受信する端末第１受信手段と、
前記鑑賞物識別情報を受信したとき、当該受信した鑑賞物識別情報と、当該端末装置を他の前記端末装置から識別するための端末装置識別情報と、を対として前記配信装置に送信する端末装置送信手段と、
前記送信した鑑賞物識別情報により識別される前記鑑賞物に対応する前記鑑賞補助情報を受信する端末第２受信手段と、
前記受信した鑑賞補助情報を当該端末装置を携帯する前記鑑賞者に告知する告知手段と、
を備え、
前記配信装置は、
前記鑑賞物識別情報と、当該鑑賞物識別情報により識別される前記鑑賞物に対応する前記鑑賞補助情報と、を対として記憶する記憶手段と、
前記鑑賞物識別情報及び前記端末装置識別情報を前記端末装置から受信する配信装置受信手段と、
前記受信した鑑賞物識別情報に対応する前記鑑賞補助情報を前記記憶手段から読み出し、当該読み出した鑑賞補助情報を前記受信した端末装置識別情報により識別される前記端末装置に送信する配信装置送信手段と、
を備えることを特徴とする鑑賞補助システム。
【請求項２】
請求項１に記載の鑑賞補助システムにおいて、
前記鑑賞者検出手段は、前記存在を検出した鑑賞者の、前記鑑賞物からの距離を更に検出して距離情報を生成する距離検出手段を更に備え、
前記センサ装置送信手段は、前記生成された距離情報を前記鑑賞物識別情報と共に前記端末装置に送信し、
前記端末第１受信手段は、前記鑑賞物識別情報と共に前記距離情報を受信し、
前記端末装置送信手段は、前記鑑賞物識別情報及び前記端末装置識別情報に加えて前記受信した距離情報を前記対として前記配信装置に送信し、
更に前記配信装置送信手段は、一の前記端末装置識別情報について複数の前記対を受信したとき、当該受信した対に含まれている前記距離情報により示される距離が最も短い当該距離情報が含まれている当該対に含まれている前記鑑賞物識別情報により識別される前記鑑賞補助情報を、当該対に含まれている前記端末装置識別情報により識別される前記端末装置に送信することを特徴とする鑑賞補助システム。
【請求項３】
請求項２に記載の鑑賞補助システムにおいて、
前記距離検出手段は、電波、光又は超音波のいずれかを用いて、前記存在を検出した鑑賞者の、前記鑑賞物からの前記距離を検出して前記距離情報を生成することを特徴とする鑑賞補助システム。
【請求項４】
請求項１に記載の鑑賞補助システムにおいて、
前記端末装置は、前記受信した鑑賞物識別情報により識別される前記鑑賞物までの当該端末装置からの距離を検出して距離情報を生成する距離検出手段を更に備え、
前記端末装置送信手段は、前記鑑賞物識別情報及び前記端末装置識別情報に加えて前記生成された距離情報を前記対として前記配信装置に送信し、
更に前記配信装置送信手段は、一の前記鑑賞物識別情報について複数の前記対を受信したとき、当該受信した対に含まれている前記距離情報により示される距離が最も短い当該距離情報が含まれている当該対に含まれている前記鑑賞物識別情報により識別される前記鑑賞補助情報を、当該対に含まれている前記端末装置識別情報により識別される前記端末装置に送信することを特徴とする鑑賞補助システム。
【請求項５】
請求項１又は４に記載の鑑賞補助システムにおいて、
前記告知手段は、告知済の前記鑑賞補助情報を前記端末装置内から消去することを特徴とする鑑賞補助システム。
【請求項６】
請求項１から５のいずれか一項に記載の鑑賞補助システムにおいて、
前記鑑賞補助情報は文字情報であると共に、
前記告知手段は、前記受信した鑑賞補助情報を当該文字情報を意味する音声に変換して放音することを特徴とする鑑賞補助システム。
【請求項７】
請求項１から５のいずれか一項に記載の鑑賞補助システムにおいて、
前記鑑賞補助情報は音声情報であると共に、
前記告知手段は、前記受信した鑑賞補助情報を音声として放音することを特徴とする鑑賞補助システム。
【請求項８】
請求項１から７のいずれか一項に記載の鑑賞補助システムに含まれる前記端末装置であって、
前記端末第１受信手段と、
前記端末装置送信手段と、
前記端末第２受信手段と、
前記告知手段と、
を備えることを特徴とする端末装置。
【請求項９】
請求項１から７のいずれか一項に記載の鑑賞補助システムに含まれる前記配信装置であって、
前記記憶手段と、
前記配信装置受信手段と、
前記配信装置送信手段と、
を備えることを特徴とする配信装置。
【請求項１０】
請求項１から７のいずれか一項に記載の鑑賞補助システムに含まれる前記端末装置に含まれる端末コンピュータを、
前記端末第１受信手段、
前記端末装置送信手段、
前記端末第２受信手段、及び、
前記告知手段、
として機能させることを特徴とする端末用プログラム。
【請求項１１】
請求項１から７のいずれか一項に記載の鑑賞補助システムに含まれる前記配信装置であって前記記憶手段を備える前記配信装置に含まれる配信コンピュータを、
前記配信装置受信手段、及び、
前記配信装置送信手段、
として機能させることを特徴とする配信用プログラム。
【請求項１２】
請求項１に記載の鑑賞補助システムに含まれる前記センサ装置であって、
前記鑑賞者検出手段と、
前記センサ装置送信手段と、
を備え、
前記鑑賞者検出手段は、前記存在を検出した鑑賞者の、前記鑑賞物からの距離を更に検出して距離情報を生成する距離検出手段を更に備えることを特徴とするセンサ装置。
【請求項１３】
請求項１２に記載のセンサ装置において、
前記距離検出手段は、電波、光又は超音波のいずれかを用いて、前記存在を検出した鑑賞者の、前記鑑賞物からの前記距離を検出して前記距離情報を生成することを特徴とするセンサ装置。
【請求項１４】
請求項１２又は１３に記載のセンサ装置において、
前記センサ装置送信手段は、前記生成された距離情報を前記鑑賞物識別情報と共に前記端末装置に送信することを特徴とするセンサ装置。
【請求項１５】
請求項１に記載の鑑賞補助システムに含まれる前記センサ装置に含まれるコンピュータを、
前記鑑賞者検出手段、及び、
前記センサ装置送信手段、
として機能させ、
前記鑑賞者検出手段を、前記存在を検出した鑑賞者の、前記鑑賞物からの距離を更に検出して距離情報を生成する距離検出手段として機能させることを特徴とするセンサ用プログラム。
【発明の詳細な説明】
【技術分野】
【０００１】
本発明は、鑑賞補助システム、端末装置、配信装置及びセンサ装置並びに端末用プログラム、配信用プログラム及びセンサ用プログラムの技術分野に属し、より詳細には、例えば美術品の鑑賞に際して当該美術品の鑑賞を補助するための鑑賞補助情報を提供する鑑賞補助システム、当該鑑賞補助システムに含まれる端末装置、配信装置及びセンサ装置並びに当該端末装置、センサ装置又は配信装置用の端末用プログラム、配信用プログラム又はセンサ用プログラムの技術分野に属する。
【背景技術】
【０００２】
一般に、種々の博物館又は美術館等においては、各々の展示物の傍に、その展示物の内容や由来等を説明するための記事が記載された説明板等が設置されている場合が多い。そして近年では、当該説明板等に代えて、予め録音された説明内容等を、その展示物の鑑賞者のボタン操作等に応じて音声で当該鑑賞者に対して再生／放音することもよく行われている。この音声による方法では、説明板に比べてより多くの説明内容を鑑賞者に提供することができると共に、説明板等を別途設ける必要がないので、コスト的にも有利な場合が多い。
【０００３】
しかしながら、従来の音声による説明記事の紹介では、展示物が複数並列して展示されている場合、個々の展示物夫々に対応する説明音声自体を大きく放音することができず、その説明を十分に聞き取れない場合があるという問題点があった。また、ある鑑賞者の操作により説明音声の放音が一旦開始されてしまうと、後からその展示物の前に移動して来た他の鑑賞者は、前の鑑賞者に対する説明音声の放音が終了するまで、当該説明音声の途中からそれを聴取せざるを得ないという問題点もあった。
【０００４】
一方更に近年では、博物館等に来場した鑑賞者の夫々が来場時に携帯型の端末装置を受け取ってこれを携行し、この端末装置に対して無線により鑑賞者の目前にある鑑賞物に対応する説明音声を配信して聴取させる仕組みや、その端末装置自体に説明音声を予め録音してそれを聴取させる仕組みも実用化されている。
【０００５】
しかしながら前者の場合でも、先に展示物の前に移動した鑑賞者に対して対応する説明音声の配信を開始してしまうと、後からその展示物の前に移動した他の鑑賞者に対してはその移動して来たタイミング以降の説明音声の配信が成されることとなり、結果として従来と同様に後から移動して来た鑑賞者は説明音声の途中から聴取せざるを得ないという問題点があった。また後者の場合は、例えばその博物館等の全体として展示物が多い場合には必然的に端末装置自体のメモリ容量を大きくする必要があると共に、展示物の交換時には各端末装置における説明音声の録音内容を全て変更しなければならず、その手間が膨大になるという問題点があった。
【０００６】
これらの問題点を解決するための手段として、例えば下記特許文献１に開示されている技術がある。
【０００７】
この特許文献１に開示されている技術では、美術館等の利用者毎に、その利用者の携帯電話の電話番号と利用者の希望する説明情報の種類（日本語での解説か英語での解説か等）とを記録した非接触型ＩＣカードを携帯させ、その利用者が当該非接触型ＩＣカードを身に付けたまま展示品の近傍にまで移動すると、その場所の床に埋設されたＩＣカード読取装置で非接触型ＩＣカードの情報を読み取る構成とされている。そして、当該読み取った情報を、ＩＣカード読取装置の場所を示す情報と共に情報配信装置に送信し、これにより、その場所（展示品）に対応する情報を情報配信装置から利用者の携帯電話に送信する構成とされている。
【先行技術文献】
【特許文献】
【０００８】
【特許文献１】特開２００４−２９５７９５公報（第１図等）
【発明の概要】
【発明が解決しようとする課題】
【０００９】
しかしながら、この特許文献１に開示されている技術では、各展示物の床面に上記ＩＣカード読取装置を埋設する必要があるため、施設としての負担、ひいては美術展等の開催者が負うべき負担が課題となるという問題点があった。
【００１０】
また、利用者が携帯する携帯電話へ説明音声を配信するものであるため、美術館等への来館時にその電話番号の登録処理が必要となり、運用面における利便性に欠けるという問題点もあった。
【００１１】
更に、展示物同士が近接している場合には利用者が鑑賞している展示物を正確に識別することが難しい場合があり、この場合には説明音声の誤配信を招くという問題点もあった。
【００１２】
更にまた、一度聴取した説明音声を複数回に渡って配信して再度聴取させてしまうこととなるという問題点もあった。
【００１３】
そこで本発明は、上記の各問題点に鑑みて為されたもので、その課題は、過大な設備投資をすることなく、展示物の関連知識等を最適なタイミングで利用者に取得させることができ、結果として利用者の利便性の向上に資すると共にその動員数の向上を図ることが可能な鑑賞補助システム、当該鑑賞補助システムに含まれる端末装置、配信装置及びセンサ装置並びに当該端末装置、配信装置又はセンサ装置用の端末用プログラム、配信用プログラム又はセンサ用プログラムを提供することにある。
【課題を解決するための手段】
【００１４】
上記の課題を解決するために、請求項１に記載の発明は、鑑賞対象たる鑑賞物に備えられたセンサ装置と、前記鑑賞物を鑑賞する鑑賞者に携帯されるべき端末装置と、前記端末装置に対して前記鑑賞物の鑑賞を補助するための鑑賞補助情報を配信する配信装置と、を備える鑑賞補助システムにおいて、前記センサ装置は、当該センサ装置が備えられている前記鑑賞物の鑑賞が可能な鑑賞可能領域内に前記鑑賞者が存在しているか否かを検出するセンサ端末等の鑑賞者検出手段と、前記鑑賞可能領域内に前記鑑賞者が存在することが検出されたとき、当該存在が検出された鑑賞者が携帯している前記端末装置に対して、当該センサ装置が備えられている前記鑑賞物を他の前記鑑賞物から識別するための鑑賞物識別情報を送信するセンサ端末等のセンサ装置送信手段と、を備え、前記端末装置は、前記鑑賞物識別情報を受信する受光処理部等の端末第１受信手段と、前記鑑賞物識別情報を受信したとき、当該受信した鑑賞物識別情報と、当該端末装置を他の前記端末装置から識別するための端末装置識別情報と、を対として前記配信装置に送信する無線インターフェース等の端末装置送信手段と、前記送信した鑑賞物識別情報により識別される前記鑑賞物に対応する前記鑑賞補助情報を受信する無線インターフェース等の端末第２受信手段と、前記受信した鑑賞補助情報を当該端末装置を携帯する前記鑑賞者に告知するＣＰＵ等の告知手段と、を備え、前記配信装置は、前記鑑賞物識別情報と、当該鑑賞物識別情報により識別される前記鑑賞物に対応する前記鑑賞補助情報と、を対として記憶するコンテンツデータベース等の記憶手段と、前記鑑賞物識別情報及び前記端末装置識別情報を前記端末装置から受信する無線インターフェース等の配信装置受信手段と、前記受信した鑑賞物識別情報に対応する前記鑑賞補助情報を前記記憶手段から読み出し、当該読み出した鑑賞補助情報を前記受信した端末装置識別情報により識別される前記端末装置に送信するＣＰＵ等の配信装置送信手段と、を備える。
【００１５】
よって、鑑賞可能領域内に存在する鑑賞者の端末装置を、鑑賞物毎且つ個別に識別して鑑賞補助情報を配信するので、当該端末装置を携帯する鑑賞者に最適なタイミングで必要な鑑賞補助情報を送信して告知することができる。
【００１６】
上記の課題を解決するために、請求項２に記載の発明は、請求項１に記載の鑑賞補助システムにおいて、前記鑑賞者検出手段は、前記存在を検出した鑑賞者の、前記鑑賞物からの距離を更に検出して距離情報を生成するセンサ端末等の距離検出手段を更に備え、前記センサ装置送信手段は、前記生成された距離情報を前記鑑賞物識別情報と共に前記端末装置に送信し、前記端末第１受信手段は、前記鑑賞物識別情報と共に前記距離情報を受信し、前記端末装置送信手段は、前記鑑賞物識別情報及び前記端末装置識別情報に加えて前記受信した距離情報を前記対として前記配信装置に送信し、更に前記配信装置送信手段は、一の前記端末装置識別情報について複数の前記対を受信したとき、当該受信した対に含まれている前記距離情報により示される距離が最も短い当該距離情報が含まれている当該対に含まれている前記鑑賞物識別情報により識別される前記鑑賞補助情報を、当該対に含まれている前記端末装置識別情報により識別される前記端末装置に送信するように構成される。
【００１７】
よって、センサ装置から測った鑑賞者からの距離が最も近い鑑賞物についての鑑賞補助情報を配信して告知することができるので、複数の鑑賞物が近接している場合でも最適な鑑賞補助情報を配信して告知させることができる。
【００１８】
上記の課題を解決するために請求項３に記載の発明は、請求項２に記載の鑑賞補助システムにおいて、前記距離検出手段は、電波、光又は超音波のいずれかを用いて、前記存在を検出した鑑賞者の、前記鑑賞物からの前記距離を検出して前記距離情報を生成するように構成される。
【００１９】
よって、距離検出手段が、電波、光又は超音波のいずれかを用いて、鑑賞者の鑑賞物からの距離を検出して距離情報を生成するので、汎用性の高い方法を用いて正確に当該距離を検出することができる。
【００２０】
上記の課題を解決するために、請求項４に記載の発明は、請求項１に記載の鑑賞補助システムにおいて、前記端末装置は、前記受信した鑑賞物識別情報により識別される前記鑑賞物までの当該端末装置からの距離を検出して距離情報を生成する受光処理部等の距離検出手段を更に備え、前記端末装置送信手段は、前記鑑賞物識別情報及び前記端末装置識別情報に加えて前記生成された距離情報を前記対として前記配信装置に送信し、更に前記配信装置送信手段は、一の前記鑑賞物識別情報について複数の前記対を受信したとき、当該受信した対に含まれている前記距離情報により示される距離が最も短い当該距離情報が含まれている当該対に含まれている前記鑑賞物識別情報により識別される前記鑑賞補助情報を、当該対に含まれている前記端末装置識別情報により識別される前記端末装置に送信するように構成される。
【００２１】
よって、端末装置から測った鑑賞者からの距離が最も近い鑑賞物についての鑑賞補助情報を配信して告知することができるので、複数の鑑賞物を鑑賞可能な位置に鑑賞者が存在している場合でも、その鑑賞者にとって最も近い鑑賞物の鑑賞を補助するための鑑賞補助情報を配信して告知させることができる。
【００２２】
また、鑑賞物までの距離を端末装置において検出するので、一の鑑賞物を鑑賞可能な位置に鑑賞者が複数存在している場合でも、鑑賞補助情報を各鑑賞者が携帯する端末装置に適切に送信して告知させることができる。
【００２３】
上記の課題を解決するために、請求項５に記載の発明は、請求項１又は４に記載の鑑賞補助システムにおいて、前記告知手段は、告知済の前記鑑賞補助情報を前記端末装置内から消去するように構成される。
【００２４】
よって、告知済の鑑賞補助情報が端末装置内から消去されるので、端末装置における記憶容量を最小化することができ、当該端末装置の小型化／軽量化を実現することができる。
【００２５】
上記の課題を解決するために、請求項６に記載の発明は、請求項１から５のいずれか一項に記載の鑑賞補助システムにおいて、前記鑑賞補助情報は文字情報であると共に、前記告知手段は、前記受信した鑑賞補助情報を当該文字情報を意味する音声に変換して放音するように構成される。
【００２６】
よって、鑑賞補助情報を文字情報として配信装置から端末装置に配信し、これを端末装置において当該文字情報を意味する音声に変換して放音するので、配信装置から端末装置に送信される鑑賞補助情報のデータ量を極小化できることで、必要な鑑賞者に対して高速でタイミング良く必要な鑑賞補助情報を配信して告知させることができる。
【００２７】
上記の課題を解決するために、請求項７に記載の発明は、請求項１から５のいずれか一項に記載の鑑賞補助システムにおいて、前記鑑賞補助情報は音声情報であると共に、前記告知手段は、前記受信した鑑賞補助情報を音声として放音するように構成される。
【００２８】
よって、音声情報たる鑑賞補助情報を配信装置から端末装置に配信し、これを端末装置において音声として放音するので、端末装置の構成をより簡素化しつつ必要な鑑賞補助情報を告知することができる。また、受信した鑑賞補助情報そのまま音声として放音すればよいので、端末装置における処理を簡略化することで端末装置における電力消費を極小化することができる。
【００２９】
上記の課題を解決するために、請求項８に記載の発明は、請求項１から７のいずれか一項に記載の鑑賞補助システムに含まれる前記端末装置であって、前記端末第１受信手段と、前記端末装置送信手段と、前記端末第２受信手段と、前記告知手段と、を備える。
【００３０】
よって、鑑賞可能領域内に存在する鑑賞者の端末装置において、鑑賞物毎且つ個別に配信されて来た鑑賞補助情報を受信して告知するので、当該端末装置を携帯する鑑賞者に最適なタイミングで必要な鑑賞補助情報を告知することができる。
【００３１】
上記の課題を解決するために、請求項９に記載の発明は、請求項１から７のいずれか一項に記載の鑑賞補助システムに含まれる前記配信装置であって、前記記憶手段と、前記配信装置受信手段と、前記配信装置送信手段と、を備える。
【００３２】
よって、鑑賞可能領域内に存在する鑑賞者の端末装置に対して、当該端末装置を鑑賞物毎且つ個別に識別して鑑賞補助情報を配信するので、当該端末装置を携帯する鑑賞者に最適なタイミングで必要な鑑賞補助情報を送信して告知することができる。
【００３３】
上記の課題を解決するために、請求項１０に記載の発明は、請求項１から７のいずれか一項に記載の鑑賞補助システムに含まれる前記端末装置に含まれる端末コンピュータを、前記端末第１受信手段、前記端末装置送信手段、前記端末第２受信手段、及び、前記告知手段、として機能させる。
【００３４】
よって、当該端末用プログラムを端末コンピュータにより読み出して実行することにより、鑑賞可能領域内に存在する鑑賞者の端末装置において、鑑賞物毎且つ個別に配信されて来た鑑賞補助情報を受信して告知するように当該端末コンピュータが機能するので、当該端末装置を携帯する鑑賞者に最適なタイミングで必要な鑑賞補助情報を告知することができる。
【００３５】
上記の課題を解決するために、請求項１１に記載の発明は、請求項１から７のいずれか一項に記載の鑑賞補助システムに含まれる前記配信装置であって前記記憶手段を備える前記配信装置に含まれる配信コンピュータを、前記配信装置受信手段、及び、前記配信装置送信手段、として機能させる。
【００３６】
よって、当該配信用プログラムを配信コンピュータにより読み出して実行することにより、鑑賞可能領域内に存在する鑑賞者の端末装置に対して、当該端末装置を鑑賞物毎且つ個別に識別して鑑賞補助情報を配信するように当該配信コンピュータが機能するので、当該端末装置を携帯する鑑賞者に最適なタイミングで必要な鑑賞補助情報を送信して告知することができる。
【００３７】
上記の課題を解決するために、請求項１２に記載の発明は、請求項１に記載の鑑賞補助システムに含まれる前記センサ装置であって、前記鑑賞者検出手段と、前記センサ装置送信手段と、を備え、前記鑑賞者検出手段は、前記存在を検出した鑑賞者の、前記鑑賞物からの距離を更に検出して距離情報を生成する距離検出手段を更に備える。
【００３８】
よって、存在を検出した鑑賞者の鑑賞物からの距離を更に検出して距離情報を生成するので、鑑賞物からの距離に応じて最適なタイミングで必要な鑑賞補助情報を送信して告知することができる。
【００３９】
上記の課題を解決するために、請求項１３に記載の発明は、請求項１２に記載のセンサ装置において、前記距離検出手段は、電波、光又は超音波のいずれかを用いて、前記存在を検出した鑑賞者の、前記鑑賞物からの前記距離を検出して前記距離情報を生成するように構成される。
【００４０】
よって、距離検出手段が、電波、光又は超音波のいずれかを用いて、鑑賞者の鑑賞物からの距離を検出して距離情報を生成するので、汎用性の高い方法を用いて正確に当該距離を検出することができる。
【００４１】
上記の課題を解決するために、請求項１４に記載の発明は、請求項１２又は１３に記載のセンサ装置において、前記センサ装置送信手段は、前記生成された距離情報を前記鑑賞物識別情報と共に前記端末装置に送信するように構成される。
【００４２】
よって、センサ装置から距離情報を鑑賞物識別情報と共に端末装置に送信するので、各鑑賞物からの距離を示す距離情報を当該鑑賞物毎に区別して端末装置に送信することができる。
【００４３】
上記の課題を解決するために、請求項１５に記載の発明は、請求項１に記載の鑑賞補助システムに含まれる前記センサ装置に含まれるコンピュータを、前記鑑賞者検出手段、及び、前記センサ装置送信手段として機能させ、前記鑑賞者検出手段を、前記存在を検出した鑑賞者の、前記鑑賞物からの距離を更に検出して距離情報を生成する距離検出手段として機能させる。
【００４４】
よって、存在を検出した鑑賞者の鑑賞物からの距離を更に検出して距離情報を生成するようにセンサ装置に含まれるコンピュータが機能するので、鑑賞物からの距離に応じて最適なタイミングで必要な鑑賞補助情報を送信して告知することができる。
【発明の効果】
【００４５】
本発明によれば、鑑賞可能領域内に存在する鑑賞者の端末装置を、鑑賞物毎且つ個別に識別して鑑賞補助情報を配信するので、当該端末装置を携帯する鑑賞者に最適なタイミングで必要な鑑賞補助情報を送信して告知することができる。
【００４６】
従って、過大な設備投資をすることなく、鑑賞物の関連知識等を最適なタイミングで鑑賞者に取得させることができるので、結果として鑑賞者の利便性の向上に資すると共にその動員数の向上を図ることができる。
【図面の簡単な説明】
【００４７】
【図１】実施形態の鑑賞補助システムの概要構成を示すブロック図である。
【図２】実施形態に係る鑑賞補助システムの細部構成を示すブロック図であり、（ａ）は実施形態に係るガイダンス端末の細部構成を示すブロック図であり、（ｂ）は実施形態に係る配信端末の細部構成を示すブロック図であり、（ｃ）は実施形態に係るコンテンツサーバの細部構成を示すブロック図である。
【図３】実施形態に係るセンサ端末の細部構成を示すブロック図である。
【図４】第１実施例に係るセンサ端末等の動作を夫々に示すフローチャートである。
【図５】第１実施例に係る鑑賞補助システムの動作を例示する図であり、（ａ）は一のセンサ端末に対応する検出可能領域と利用者の関係を例示する図であり、（ｂ）は二のセンサ端末に対応する検出可能領域と利用者の関係を例示する図である。
【図６】第２実施例に係るセンサ端末等の動作を夫々に示すフローチャートである。
【図７】第２実施例に係る鑑賞補助システムの動作を例示する図であり、（ａ）は一のセンサ端末に対応する検出可能領域と複数の利用者の関係を例示する図であり、（ｂ）は二のセンサ端末に対応する検出可能領域と複数の利用者の関係を例示する図である。
【発明を実施するための形態】
【００４８】
次に、本発明を実施するための最良の形態について、図１を用いて説明する。ここで、以下に説明する実施形態は、例えば博物館又は美術館等において、展示物に関連する関連情報を音声でその利用者に聴取させる鑑賞補助システムに対して本発明を適用した場合の実施の形態である。
【００４９】
なお、以下の説明では、当該利用者に聴取させる上記関連情報を「ガイダンス情報」と称する。また、図１は実施形態に係る鑑賞補助システムの全体構成を示すブロック図である。
【００５０】
図１に示すように、実施形態に係る鑑賞補助システムＳは、各々が鑑賞物としての展示物Ｄ１乃至Ｄ３に近接する位置に設置されている鑑賞者検出手段、距離検出手段及びセンサ装置送信手段としてのセンサ端末１０と、利用者各々が上記博物館等に入館した際に貸し出しを受けて展示物の鑑賞中に携行するガイダンス端末２０と、各ガイダンス端末２０と個別に無線接続されている配信端末３０と、各展示物Ｄ１乃至Ｄ３用の上記ガイダンス情報を蓄積して適宜コンテンツサーバ４０に出力する記憶手段としてのコンテンツデータベース５０と、上記コンテンツデータベース５０に蓄積されているコンテンツを上記ガイダンス情報として配信端末３０を介して各ガイダンス端末２０夫々に配信するコンテンツサーバ４０と、により構成されている。
【００５１】
次に鑑賞補助システムＳの概要動作を説明する。なお、実施形態に係るセンサ端末１０は各展示物Ｄ１乃至Ｄ３夫々に近接して設置されている各センサ端末１０において同様の動作が実行されるので、以下の説明では、主として展示物Ｄ１に近接して設定されているセンサ端末１０について、その概要動作を説明する。また同様に、実施形態に係る各ガイダンス端末２０においても全て同様の動作が実行されるので、以下の説明では、展示物Ｄ１の正面に移動して来た利用者に携行されているガイダンス端末２０について、その概要動作を説明する。
【００５２】
先ず各センサ端末１０には、当該センサ端末１０自体を他のセンサ端末１０から識別するためのセンサ識別情報が予め付与されており、このセンサ識別情報は各センサ端末１０内に不揮発性に記憶されている。このセンサ識別情報は、換言すれば、それにより識別されるセンサ端末１０が近接する位置に設置されている展示物Ｄ自体を他の展示物Ｄから識別するための識別情報でもあることになる。
【００５３】
そして、展示物Ｄ１に近接して設定されているセンサ端末１０は、その電源がオンとされた以降は、展示物Ｄ１に予め設定されている検出可能領域内にガイダンス端末２０を携行した利用者が入って来たことが検出されたか否かを監視する。ここで当該検出可能領域とは、展示物Ｄ１の位置を中心としてその正面の予め設定された距離範囲（当該展示物Ｄ１の位置を中心とした略三角形となる）内の領域を言う。また当該検出の方法は、例えば電波を用いる方法、光センサを用いる方法又は超音波を用いる方法等種々が考えられる。
【００５４】
これにより、当該利用者が対応する検出可能範囲内に入って来たことが検出されたとき、センサ端末１０は、それ自体を識別するための上記センサ識別情報ＩＤ１を、対応する検出可能領域内に入って来た利用者が携行しているガイダンス端末２０に送信する。
【００５５】
一方、センサ端末１０と、その正面に移動して来た利用者が携行しているガイダンス端末２０と、は、協働して相互間の距離を測定する。このとき、センサ端末１０側で測長して得られる測長データを上記センサ識別情報ＩＤ１と共に対応するガイダンス端末２０に送信しても良いし、或いは、ガイダンス端末２０側でその距離を測長してもよい。またこの測長の方法としても、上記利用者の存在の有無の検出方法と同様に、例えば電波を用いる方法、光センサを用いる方法又は超音波を用いる方法等種々が考えられる。
【００５６】
次に、当該センサ識別情報ＩＤ１を受信したガイダンス端末２０は、当該ガイダンス端末２０自体を他のガイダンス端末２０から識別するためのガイダンス端末識別情報ＩＤＧ１と、上記測長の結果を示す測長データＲ１と、を、当該受信したセンサ識別情報ＩＤ１に付加して配信端末３０に送信する。これにより、配信端末３０は、送信されて来た各データのうち、センサ識別情報ＩＤ１とガイダンス端末識別情報ＩＤＧ１とをコンテンツサーバ４０に送信する。
【００５７】
一方、コンテンツデータベース５０には、各展示物Ｄ１乃至Ｄ３夫々に対応する上記ガイダンス情報が、当該各展示物Ｄ１乃至Ｄ３夫々に対応するセンサ識別情報ＩＤ及びガイダンス端末識別情報ＩＤＧに関連付けられた状態で蓄積されている。そして、展示物Ｄ１乃至Ｄ３が入れ換えられることで対応するガイダンス情報もまた更新する必要がある場合は、コンテンツサーバ４０による制御の下、当該更新が一括して実行される。
【００５８】
また、コンテンツデータベース５０内において、当該ガイダンス情報には、センサ識別情報ＩＤ毎及びガイダンス端末識別情報ＩＤＧ毎に、当該ガイダンス端末識別情報により識別されるガイダンス端末２０において再生済みであるか否かを示す再生済フラグと、そのガイダンス端末２０における再生回数を示す再生回数フラグと、が付加されている。そして、そのガイダンス端末２０が一旦利用者に携行された後において後述する如く当該ガイダンス端末２０において対応するガイダンス情報が再生された場合、この再生済フラグは後述する如く「再生済」の旨に設定され、更に再生回数フラグは「１」だけインクリメントされる。また、当該ガイダンス端末２０が利用者が退場することにより返却された場合、当該再生済フラグ及び再生回数フラグは初期化（すなわち、再生済フラグについては「未再生」の旨に、再生回数フラグについては「０」に夫々設定）される。
【００５９】
そしてコンテンツサーバ４０は、配信端末３０から上記センサ識別情報ＩＤ１及びガイダンス端末識別情報ＩＤＧ１を受信したならば、そのうちのセンサ識別情報ＩＤ１に関連付けられているガイダンス情報をコンテンツデータベース５０内において検索／抽出する。その後コンテンツサーバ４０は、受信しているガイダンス端末識別情報ＩＤＧ１と共に当該抽出されたガイダンス情報を配信端末３０に送信する。
【００６０】
これにより、配信端末３０は、当該ガイダンス端末識別情報ＩＤＧ１により識別されるガイダンス端末２０に対して、コンテンツサーバ４０から送信されて来たガイダンス情報ＧＶＤ１（すなわち、展示物Ｄ１に対応するガイダンス情報）を送信する。そして、当該ガイダンス情報ＧＶＤ１を受信したガイダンス端末２０は、その内容を音声としてそれを携行する利用者に聴取させる。
【００６１】
以上の一連の動作により、展示物Ｄ１の前まで移動して来た利用者が携行するガイダンス端末２０に対して当該展示物Ｄ１に対応するガイダンス情報がタイミングよく配信され、これによりその利用者が当該ガイダンス情報ＧＶＤ１の内容を聴取することができるようになる。
【００６２】
なお、上述した一連の動作は、展示物Ｄ２の前まで移動して来た利用者が携行するガイダンス端末２０とセンサ端末１０及び配信端末３０との間においても実行される。
【００６３】
この場合、ガイダンス端末２０はセンサ端末１０からセンサ識別情報ＩＤ２を受信し、これに自身を識別するためのガイダンス端末識別情報ＩＤＧ２及び測長データＲ２を付加して配信端末３０に送信する。そして配信端末３０からは、これに対応して展示物Ｄ２に対応するガイダンス情報ＧＶＤ２が送信されて来る。これにより、当該ガイダンス端末２０を携行する利用者は、展示物Ｄ２の前に移動して来たタイミングでそのガイダンス情報ＧＶＤ２の内容を聴取できることとなる。
【実施例１】
【００６４】
次に、上記実施形態に則した本発明の第１実施例について、図１乃至図４を用いて説明する。なお、以下に説明する第１実施例は、当該センサ端末１０とその検出可能領域内に移動して来た利用者が携行するガイダンス端末２０との距離をセンサ端末１０において測定する場合の実施例である。
【００６５】
先ず、第１実施例に係るガイダンス端末２０、配信端末３０及びコンテンツサーバ４０並びにセンサ端末１０夫々の細部構成について、図２及び図３を用いて説明する。ここで、図２（ａ）はガイダンス端末２０の細部構成を示すブロック図であり、図２（ｂ）は配信端末３０の細部構成を示すブロック図であり、図２（ｃ）はコンテンツサーバ４０の細部構成を示すブロック図であり、図３はセンサ端末１０の細部構成を示すブロック図である。また、第１実施例に係るセンサ端末１０は各展示物Ｄ１乃至Ｄ３夫々に近接して設置されている各センサ端末１０において同様の細部構成及び動作を備えるので、以下の説明では、主として展示物Ｄ１に近接して設定されているセンサ端末１０について、その細部構成及び細部動作を説明する。また同様に、実施形態に係る各ガイダンス端末２０も全て同様の細部構成及び動作を備えるので、以下の説明では、展示物Ｄ１の正面に移動して来た利用者に携行されているガイダンス端末２０について、その概要構成及び動作を説明する。
【００６６】
図２（ａ）に示すように、第１実施例に係るガイダンス端末２０は、端末第１受信手段としての受光部２１と、距離検出手段としての受光処理部２２と、スピーカ２４に接続された音声デコーダ２３と、アンテナ２６に接続された端末装置送信手段及び端末第２受信手段としての無線インターフェース２５と、告知手段としてのＣＰＵ２７と、データ送受信部２８と、不揮発性領域及び揮発性領域の双方を備える記憶部２０Ｍと、により構成されている。そして、上記受光処理部２２、音声デコーダ２３、無線インターフェース２５、ＣＰＵ２７、データ送受信部２８及び記憶部２０Ｍは、バス２９を介して相互にデータの授受が可能に構成されている。
【００６７】
この構成において、受光部２１はセンサ端末１０から送信されて来る上記センサ識別情報ＩＤ１及び測長データＲ１を受光し、受光処理部２２に出力する。そして、受光処理部２２は受光した上記センサ識別情報ＩＤ１及び測長データＲ１に対して復調処理等を施し、バス２９を介してＣＰＵ２７に出力する。
【００６８】
一方、データ送受信部２８は、ＣＰＵ２７の制御の下、センサ端末１０から受信したセンサ識別情報ＩＤ１及び測長データＲ１に対する必要な処理、並びに配信端末３０へのセンサ識別情報ＩＤ１及びガイダンス端末識別情報ＩＤＧ１並びに測長データＲ１の送信処理及び配信端末３０からのガイダンス情報ＧＶＤ１の受信処理を行う。
【００６９】
更に無線インターフェース２５は、ＣＰＵ２７及びデータ送受信部２８の制御の下、センサ識別情報ＩＤ１及びガイダンス端末識別情報ＩＤＧ１並びに測長データＲ１を配信端末３０へ送信する際の符号化処理等及びガイダンス情報ＧＶＤ１を配信端末３０から受信する際の復号処理等を行う。
【００７０】
また音声デコーダ２３は、ＣＰＵ２７の制御の下、配信端末３０から受信した上記ガイダンス情報ＧＶＤ１をバス２９を介して受け取り、これに対して復号処理及び音声化処理を施してスピーカ２４（又は利用者が装着した図示しないイヤホン）を介して放音させる処理を行う。
【００７１】
これらの動作と並行して、ＣＰＵ２７は、記憶部２０Ｍに必要なデータを揮発性又は不揮発性に記憶させつつ、第１実施例に係るガイダンス端末２０としての上記各構成部材の処理を、後述するフローチャートに沿った処理となるように統括制御する。
【００７２】
次に、図２（ｂ）を用いて、第１実施例に係る配信端末３０の細部構成及び動作について説明する。
【００７３】
図２（ｂ）に示すように、第１実施例に係る配信端末３０は、アンテナ３１に接続された配信装置受信手段としての無線インターフェース３２と、データ送受信部３３と、コンテンツサーバ４０に接続されたサーバインターフェース３４と、ＣＰＵ３５と、不揮発性領域及び揮発性領域の双方を備える記憶部３６と、により構成されている。そして、上記無線インターフェース３２、データ送受信部３３、サーバインターフェース３４、配信装置送信手段としてのＣＰＵ３５及び記憶部３６は、バス３７を介して相互にデータの授受が可能に構成されている。
【００７４】
この構成において、無線インターフェース３２は、ＣＰＵ３５及びデータ送受信部３３の制御の下、センサ識別情報ＩＤ１及びガイダンス端末識別情報ＩＤＧ１並びに測長データＲ１をガイダンス端末２０から受信する際の復号処理等及びガイダンス情報ＧＶＤ１をガイダンス端末２０へ送信する際の符号化処理等を行う。
【００７５】
一方、サーバインターフェース３４は、ＣＰＵ３５及びデータ送受信部３３の制御の下、センサ識別情報ＩＤ１及びガイダンス端末識別情報ＩＤＧ１をコンテンツサーバ４０へ送信する際の符号化処理等並びにガイダンス端末識別情報ＩＤＧ１及びガイダンス情報ＧＶＤ１をコンテンツサーバ４０から受信する際の復号処理等を行う。
【００７６】
そして、データ送受信部３３は、ＣＰＵ３５の制御の下、ガイダンス端末２０から受信したセンサ識別情報ＩＤ１及び測長データＲ１並びにガイダンス端末識別情報ＩＤＧ１に対する必要な処理、並びにコンテンツサーバ４０へのセンサ識別情報ＩＤ１及びガイダンス端末識別情報ＩＤＧ１の送信処理及びコンテンツサーバ４０からのガイダンス端末識別情報ＩＤＧ１及びガイダンス情報ＧＶＤ１の受信処理を行う。
【００７７】
これらの動作と並行して、ＣＰＵ３５は、記憶部３６に必要なデータを揮発性又は不揮発性に記憶させつつ、第１実施例に係る配信端末３０としての上記各構成部材の処理を、後述するフローチャートに沿った処理となるように統括制御する。
【００７８】
更に、図２（ｃ）を用いて、第１実施例に係るコンテンツサーバ４０の細部構成及び動作について説明する。
【００７９】
図２（ｃ）に示すように、第１実施例に係るコンテンツサーバ４０は、配信端末３０に接続された端末インターフェース４１と、不揮発性領域及び揮発性領域の双方を備える記憶部４２と、コンテンツデータベース５０に接続されたデータベースインターフェース４３と、ＣＰＵ４４と、図示しないキーボード及びマウス等からなる操作部４５と、液晶ディスプレイ等からなる表示部４６と、により構成されている。そして、上記端末インターフェース４１、記憶部４２、データベースインターフェース４３、ＣＰＵ４４、操作部４５及び表示部４６は、バス４７を介して相互にデータの授受が可能に構成されている。
【００８０】
この構成において、端末インターフェース４１は、ＣＰＵ４４の制御の下、センサ識別情報ＩＤ１及びガイダンス端末識別情報ＩＤＧ１を配信端末３０から受信する際の復号処理等並びにガイダンス端末識別情報ＩＤＧ１及びガイダンス情報ＧＶＤ１を配信端末３０へ送信する際の符号化処理等を行う。
【００８１】
これに対し、データベースインターフェース４３は、ＣＰＵ４４の制御の下、センサ識別情報ＩＤ１及びガイダンス情報ＧＶＤ１をコンテンツデータベース５０との間における授受を司る。
【００８２】
これらの動作と並行して、ＣＰＵ４４は、操作部４５を用いて行われる使用者による操作内容に基づき、記憶部４２に必要なデータを揮発性又は不揮発性に記憶させつつ、第１実施例に係るコンテンツサーバ４０としての上記各構成部材の処理を、後述するフローチャートに沿った処理となるように統括制御する。なお、当該統括制御動作において上記使用者に提示するべきデータ等は、表示部４６上に表示されて当該提示が成されることとなる。
【００８３】
最後に、第１実施例に係るセンサ端末１０の細部構成及び動作について、図３を用いて説明する。
【００８４】
図３に示すように、第１実施例に係るセンサ端末１０は、距離検出手段としての発光／受光部１１と、距離検出手段としての処理部１２と、ＣＰＵ１７と、センサ装置送信手段としてのデータ送受信部１８と、不揮発性領域及び揮発性領域の双方を備える記憶部１０Ｍ（各種データ及びプログラム（例えばセンサプログラム）を記憶）と、により構成されている。そして、上記処理部１２、ＣＰＵ１７、データ送受信部１８及び記憶部１０Ｍは、バス１９を介して相互にデータの授受が可能に構成されている。このとき、記憶部１０Ｍには、当該センサ端末１０が付与されている上記センサ識別情報ＩＤ１が不揮発性に記憶されている。また処理部１２には、発光／受光部１１において受光した測長用の光の、当該発光から受光までの時間と距離との対応関係を示す時間／距離テーブルが不揮発性に記憶されている。
【００８５】
この構成において、発光／受光部１１は、測長用の光（後述する図４記載のフローチャートにおいては、当該光を「センサ波」と称している）を、その正面に予め設定された上記距離範囲内を走査するように射出する（図４ステップＳ１１参照）。そして、当該光がガイダンス端末２０自体又は当該ガイダンス端末２０を携行する利用者により反射されて再び発光／受光部１１に戻ってくると、当該反射光を受光し、その発光から受光までの時間を時間情報として処理部１２に出力する。
【００８６】
これにより処理部１２は、発光／受光部１１から出力されて来た時間情報に基づき、上記時間／距離テーブルを参照することで、当該受光した反射光が反射された利用者等までのセンサ端末１０からの距離を測長データとして算出し、バス１９を介して記憶部１０Ｍに出力して一時的に記憶させる（図４ステップＳ１２参照）。
【００８７】
次にデータ送受信部１８は、ＣＰＵ１７の制御の下、当該記憶されている測長データとセンサ識別情報ＩＤ１とを関連付ける。その後データ送受信部１８は、ＣＰＵ１７の制御の下、当該関連付けた測長データ及びセンサ識別情報ＩＤ１を、バス１９、処理部１２及び発光／受光部１１を介してガイダンス端末２０に送信する（図４ステップＳ１３参照）。
【００８８】
これらの動作と並行して、ＣＰＵ１７は、記憶部１０Ｍに必要なデータを揮発性又は不揮発性に記憶させつつ、第１実施例に係るセンサ端末１０としての上記各構成部材の処理を、後述するフローチャートに沿った処理となるように統括制御する。
【００８９】
なお上述の説明では、センサ端末１０からの距離を光学的に測る場合について説明したが、超音波を用いた測長の場合には、測長用の媒体を光から超音波に置き換えることで、上述した測長方法をそのまま当て嵌めることができる。
【００９０】
また測長に電波を用いる場合には、例えば、測長用の電波の受信強度をいわゆるＲＳＳＩ（Received Signal Strength Indicator）に換算し、当該ＲＳＳＩとの関係で予め記憶されている強度／距離テーブルを参照して測長データを生成するのが好ましい。このとき、当該測長データの生成は、測長用の電波の送信及びその（利用者からの）反射波の受信と共にセンサ端末１０において実行してその結果をガイダンス端末２０に無線電波を介して送信するように構成することができる。また、センサ端末１０から送信された測長用の電波を当該ガイダンス端末２０において受信し、これにより上記測長データの生成を当該ガイダンス端末２０において実行するように構成することもできる。
【００９１】
次に、第１実施例に係るセンサ端末１０、ガイダンス端末２０、配信端末３０及びコンテンツサーバ４０夫々の動作について、図１に示す鑑賞補助システムＳにおける場合を例として、図４及び図５を用いて時系列に沿って纏めて説明する。なお、図４は当該センサ端末１０等の動作を夫々に示すフローチャートであり、図５はセンサ端末１０による利用者の検出の態様を具体的に例示する図である。
【００９２】
図４左端に示すように、先ず第１実施例に係るセンサ端末１０は、その電源スイッチがオンとされると（ステップＳ１０）、利用者の存在検出用のセンサ波の送信を、その検出可能領域の全てを走査するように開始する（ステップＳ１１）。このセンサ波は、上述したように利用者の存在の検出方法によって異なるものであり、具体的には、電波、光（赤外線を含む）又は超音波等が用いられる。また、上記検出可能領域は、例えば図５に例示するように、各センサ端末１０の位置を頂点の一つとし、且つ当該センサ端末１０の正面の方向に広がった略三角形の形状を備える検出可能領域Ａ１又はＡ２となる。そしてこれら検出可能領域Ａ１又はＡ２内に利用者Ｈが移動して来ると、その利用者によって反射されたセンサ波を再度各センサ端末１０が受光（受信）することで、当該利用者Ｈが移動して来た旨が各センサ端末１０において検出されることとなる。
【００９３】
上記センサ波の照射により利用者Ｈの存在が検出可能領域Ａ１又はＡ２内において検出できたとき、センサ端末１０は次に、当該検出された利用者Ｈと検出したセンサ端末１０との間の距離を測定する（ステップＳ１２）。より具体的には、当該センサ端末１０とその正面に位置する利用者Ｈが携行しているガイダンス端末２０との間の距離が測定される。この測長動作についてもまた種々の方法を採ることが可能であり、電波を使用する方法、光を使用する方法又は超音波を使用する方法等、例えばセンサ端末１０の大きさや求められる精度等に基づいていずれの方法を採用するかが決定される。
【００９４】
なお、例えば図５（ａ）に例示する如き一つの検出可能領域Ａ１内に利用者Ｈが一名のみの場合、ステップＳ１２の動作としての測長は単に上記センサ波の反射波をセンサ端末１０において受光（受信）すれば可能となる。一方、図５（ｂ）に例示する如き二つの検出可能領域Ａ１及びＡ２夫々に同時に一名の利用者Ｈが存在する場合、混信によって各センサ端末１０からの距離が正確に測定できない可能性がある。このため、第１実施例に係る各センサ端末１０は、各々から送信される上記センサ波の波長を相互に異ならせている。これにより、各センサ端末１０は、自らが送信したセンサ波と同値の波長の反射波を受光（受信）することにより、正確に利用者Ｈまでの距離を測定することができる。
【００９５】
センサ端末１０とガイダンス端末２０との間の距離が測定されると、次にセンサ端末１０は、自身を識別するためのセンサ識別情報ＩＤ１（展示物Ｄ１に近接して設置されているセンサ端末１０の場合）又はＩＤ２（展示物Ｄ２に近接して設置されているセンサ端末１０の場合）と、上記ステップＳ１２の動作の結果としての測長データＲ１（展示物Ｄ１に近接して設置されているセンサ端末１０の場合）又はＲ２（展示物Ｄ２に近接して設置されているセンサ端末１０の場合）と、を対として当該センサ端末１０からその正面に位置する利用者に携行されているガイダンス端末２０に送信する（ステップＳ１３。図４ステップＳ２１及び図５参照）。
【００９６】
なお、以下の説明では、上記センサ識別情報ＩＤ１又はＩＤ２を単にセンサ識別情報ＩＤ１等と称し、また上記測長データＲ１又はＲ２等を単に測長データＲ１等と称する。
【００９７】
その後、センサ端末１０は、自らの電源スイッチがオフとされたか否かを確認し（ステップＳ１４）、電源スイッチがオフとされていないときは（ステップＳ１４；ＮＯ）、そのまま上記ステップＳ１１に戻って上述した一連の動作を繰り返す。一方ステップＳ１４の判定において、センサ端末１０の電源スイッチがオフとされているときは（ステップＳ１４；ＹＥＳ）、そのままセンサ端末１０としての動作を停止する。
【００９８】
次に、第１実施例に係るガイダンス端末２０の動作について、図４左から二番目のフローチャートを用いて説明する。
【００９９】
当該フローチャートに示すように、当該ガイダンス端末２０内のＣＰＵ２７は、利用者に携行されてその電源スイッチがオンとされると（ステップＳ２０）、センサ端末１０からの上記センサ識別情報ＩＤ１等及び測長データＲ１等が受信されたか否かの監視を開始する（ステップＳ２１。図４ステップＳ１３参照）。そして、センサ識別情報ＩＤ１等及び測長データＲ１等が受信されていない場合（ステップＳ２１；ＮＯ）、ＣＰＵ２７はそのまま監視を継続する。一方当該センサ識別情報ＩＤ１等及び測長データＲ１等が受信された場合（ステップＳ２１；ＹＥＳ）、ＣＰＵ２７は次に、受信された測長データＲ１等により示されるセンサ端末１０とガイダンス端末２０との距離を、予め設定されて記憶部２０Ｍ内に記憶されている距離閾値と比較する（ステップＳ２２、Ｓ２３）。ここで、当該距離閾値は、測長データＲ１等により示される距離が当該距離閾値以下の場合に、そのガイダンス端末２０を携行している利用者が、対応するセンサ端末１０が近接して設定されている展示物Ｄ１等を鑑賞しているものと判断される基準距離として予め設定されている距離閾値である（図５（ａ）符号Ｌ参照）。
【０１００】
ステップＳ２３の判定において、受信された測長データＲ１等により示される距離が距離閾値以上であるとき（ステップＳ２３；ＹＥＳ）、ＣＰＵ２７は、そのガイダンス端末２０を携行している利用者が未だ対応する展示物Ｄ１等を鑑賞してないと判断し、上記ステップＳ２１に戻って上述してきた一連の動作を繰り返す。一方ステップＳ２３の判定において、受信された測長データＲ１等により示される距離が距離閾値以上でない（すなわち、当該距離閾値未満である）とき（ステップＳ２３；ＮＯ）、ＣＰＵ２７は、そのガイダンス端末２０を携行している利用者が対応する展示物Ｄ１等を鑑賞していると判断して次に、ステップＳ２１の動作において受信済みの上記センサ識別情報ＩＤ１等及び測長データＲ１等に対して、ガイダンス端末２０自体を他のガイダンス端末２０から識別するための上記ガイダンス端末識別情報ＩＤＧ１（展示物Ｄ１を鑑賞している利用者Ｈに携行されているガイダンス端末２０の場合）又はＩＤＧ２（展示物Ｄ２を鑑賞している利用者Ｈに携行されているガイダンス端末２０の場合）を付加する（ステップＳ２４）。その後ＣＰＵ２７は、これらのデータを全て、当該ガイダンス端末２０から配信端末３０に送信する（ステップＳ２５）。
【０１０１】
なお、以下の説明では、上記ガイダンス端末識別情報ＩＤＧ１又はＩＤＧ２を単にガイダンス端末識別情報ＩＤＧ１等と称する。
【０１０２】
また、例えば図５（ｂ）に例示するように一つのガイダンス端末２０が複数のセンサ端末１０から上記センサ識別情報ＩＤ１及びＩＤ２並びに測長データＲ１及びＲ２を夫々受信した場合であって且ついずれの測長データＲ１及びＲ２により示される距離も上記距離閾値Ｌを越えていたとき、上記ステップＳ２４の処理としてＣＰＵ２７は、受信した全てのデータ（すなわち、上記センサ識別情報ＩＤ１及びＩＤ２並びに測長データＲ１及びＲ２）に対して一のガイダンス端末識別情報ＩＤＧ（図５（ｂ）の例においては、利用者Ｈが携行するガイダンス端末２０を識別するための一のガイダンス端末識別情報ＩＤＧ）を付加する。そしてＣＰＵ２７は、当該一のガイダンス端末識別情報ＩＤＧが付加された各データ（図５（ｂ）の場合により具体的には、センサ識別情報ＩＤ１及び測長データＲ１を含む対に一のガイダンス端末識別情報ＩＤＧが付加されたデータと、センサ識別情報ＩＤ２及び測長データＲ２を含む対に一のガイダンス端末識別情報ＩＤＧが付加されたデータ）を夫々別個に配信端末３０に送信する（ステップＳ２５）。
【０１０３】
その後ＣＰＵ２７は、配信端末３０から上記ガイダンス情報ＧＶＤ１（展示物Ｄ１を鑑賞している利用者Ｈに携行されているガイダンス端末２０の場合）又はＧＶＤ２（展示物Ｄ２を鑑賞している利用者Ｈに携行されているガイダンス端末２０の場合）が送信されて来たか否かを監視する（ステップＳ２６）。そして、未だガイダンス情報ＧＶＤ１又はＧＶＤ２が送信されて来ていないときは（ステップＳ２６；ＮＯ）そのまま監視動作を継続し、一方ガイダンス情報ＧＶＤ１又はＧＶＤ２が送信されて来た場合（ステップＳ２６；ＹＥＳ）、ＣＰＵ２７は、データ送受信部２８及び音声デコーダ２３を制御することにより、当該受信した当該ガイダンス情報ＧＶＤ１又はＧＶＤ２の内容を音声としてそれを携行する利用者に聴取させる。その後ＣＰＵ２７は、当該再生後のガイダンス情報ＧＶＤ１又はＧＶＤ２を記憶部３６上から消去する（ステップＳ２７）。
【０１０４】
なお、以下の説明では、上記ガイダンス情報ＧＶＤ１又はＧＶＤ２を単にガイダンス情報ＧＶＤ１等と称する。
【０１０５】
また、ガイダンス情報ＧＶ及び音声デコーダ２３については、ガイダンス情報ＧＶ自体を文字情報（テキスト情報）としてこれを音声デコーダ２３において音声化する構成とすることもできるし、またガイダンス情報ＧＶ自体を音声情報とし、これを音声データ２３においてそのまま復号して放音するように構成することもできる。この構成において前者の場合は、配信端末３０とガイダンス端末２０との間で授受されるガイダンス情報ＧＶとしてのデータ量を最小限とすることができるので、伝送の高速化及びコンテンツデータベース５０の記憶容量を最小化することができる。また後者の場合は、受信した音声情報としてのガイダンス情報ＧＶをそのまま復号すれば済むため、音声デコーダ２３としての構成を簡潔にしてガイダンス端末２０としての処理負荷の軽減及び小型化／軽量化、消費電力の極小化を実現できることとなる。
【０１０６】
その後、ＣＰＵ２７は、自らが備えられたガイダンス端末２０の電源スイッチがオフとされたか否かを確認し（ステップＳ２８）、電源スイッチがオフとされていないときは（ステップＳ２８；ＮＯ）、そのまま上記ステップＳ２１に戻って上述した一連の動作を繰り返す。一方ステップＳ２８の判定において、ガイダンス端末２０の電源スイッチがオフとされているときは（ステップＳ２８；ＹＥＳ）、そのままガイダンス端末２０としての動作を停止する。
【０１０７】
次に、第１実施例に係る配信端末３０の動作について、図４右から二番目のフローチャートを用いて説明する。
【０１０８】
当該フローチャートに示すように、当該配信端末３０内のＣＰＵ３５は、その電源スイッチがオンとされると（ステップＳ３０）、いずれかのガイダンス端末２０からの上記センサ識別情報ＩＤ１等及び測長データＲ１等並びにガイダンス端末識別情報ＩＤＧ１等が受信されたか否かの監視を開始する（ステップＳ３１。図４ステップＳ２５参照）。そして、センサ識別情報ＩＤ１等及び測長データＲ１等並びにガイダンス端末識別情報ＩＤＧ１等が受信されていない場合（ステップＳ３１；ＮＯ）、ＣＰＵ３５はそのまま監視を継続する。一方当該センサ識別情報ＩＤ１等及び測長データＲ１等並びにガイダンス端末識別情報ＩＤＧ１等が受信された場合（ステップＳ３１；ＹＥＳ）、ＣＰＵ３５は次に、当該受信された各データ等を一時的に記憶部３６内に記憶させる（ステップＳ３２）。次にＣＰＵ３５は、一のガイダンス端末識別情報ＩＤＧ（例えばガイダンス端末識別情報ＩＤＧ１）の対として複数のセンサ識別情報ＩＤ１等及び測長データＲ１等が一次保存されているか否かを、記憶部３６内において確認する（ステップＳ３３）。
【０１０９】
ステップＳ３３の判定において、一のガイダンス端末識別情報ＩＤＧの対として一のセンサ識別情報ＩＤ（例えばセンサ識別情報ＩＤ１）及び測長データＲ（例えば測長データＲ１）のみが一次保存されている場合（ステップＳ３３；ＮＯ）、ＣＰＵ３５は、後述するステップＳ３５の処理に移行する。一方ステップＳ３３の判定において、一のガイダンス端末識別情報ＩＤＧの対として複数のセンサ識別情報ＩＤ１等及び測長データＲ１等が一次保存されている場合（ステップＳ３３；ＹＥＳ）、ＣＰＵ３５は次に、当該一のガイダンス端末識別情報ＩＤＧの対として保存されている複数のセンサ識別情報ＩＤ１等及び測長データＲ１等のうち、測長データＲにより示される距離が最も短いものを選択する（ステップＳ３４）。その後ＣＰＵ３５は、ステップＳ３４の動作において選択された一の測長データＲの対となっていたセンサ識別情報ＩＤ（例えばセンサ識別情報ＩＤ１）と、ガイダンス端末識別情報ＩＤＧ（例えばガイダンス識別情報ＩＤＧ１）と、を対として、配信端末３０からコンテンツサーバ４０に送信する（ステップＳ３５）。
【０１１０】
その後ＣＰＵ３５は、上記ガイダンス情報ＧＶ（例えばガイダンス情報ＧＶＤ１）が、それが配信されるべきガイダンス端末２０を識別するためのガイダンス端末識別情報ＩＤＧ（例えばガイダンス端末識別情報ＩＤＧ１）と共にコンテンツサーバ４０から送信されて来たか否かを監視する（ステップＳ３６）。そして、未だガイダンス情報ＧＶ及びガイダンス端末識別情報ＩＤＧが送信されて来ていないときは（ステップＳ３６；ＮＯ）そのまま監視動作を継続し、一方ガイダンス情報ＧＶ及びガイダンス端末識別情報ＩＤＧが送信されて来た場合（ステップＳ３６；ＹＥＳ）、ＣＰＵ３５は、データ送受信部２８及び無線インターフェース３２を制御することにより、当該受信した当該ガイダンス情報ＧＶを当該受信したガイダンス端末識別情報ＩＤＧにより識別されるガイダンス端末２０に向けて送信する（ステップＳ３７。図４ステップＳ２６参照）。
【０１１１】
その後、ＣＰＵ３５は、自らが備えられた配信端末３０の電源スイッチがオフとされたか否かを確認し（ステップＳ３８）、電源スイッチがオフとされていないときは（ステップＳ３８；ＮＯ）、そのまま上記ステップＳ３１に戻って上述した一連の動作を繰り返す。一方ステップＳ３８の判定において、配信端末３０の電源スイッチがオフとされているときは（ステップＳ３８；ＹＥＳ）、そのまま配信端末３０としての動作を停止する。
【０１１２】
最後に、第１実施例に係るコンテンツサーバ４０の動作について、図４右端に示すフローチャートを用いて説明する。
【０１１３】
当該フローチャートに示すように、当該コンテンツサーバ４０内のＣＰＵ４４は、その電源スイッチがオンとされると（ステップＳ４０）、配信端末３０からの上記センサ識別情報ＩＤ１等及びガイダンス端末識別情報ＩＤＧ１等が受信されたか否かの監視を開始する（ステップＳ４１。図４ステップＳ３５参照）。そして、センサ識別情報ＩＤ１等及びガイダンス端末識別情報ＩＤＧ１等が受信されていない場合（ステップＳ４１；ＮＯ）、ＣＰＵ４４はそのまま監視を継続する。一方当該センサ識別情報ＩＤ１等及びガイダンス端末識別情報ＩＤＧ１等が受信された場合（ステップＳ４１；ＹＥＳ）、ＣＰＵ４４は次に、当該受信したセンサ識別情報ＩＤ１等及びガイダンス端末識別情報ＩＤＧ１等に関連付けられているガイダンス情報ＧＶＤ１等をコンテンツサーバ５０内において検索／抽出し、更に当該抽出したガイダンス情報ＧＶＤ１等のうち対応する再生済フラグが「未再生」の旨に設定されているガイダンス情報ＧＶ（例えばガイダンス情報ＧＶＤ１）を選択する（ステップＳ４２）。
【０１１４】
そしてＣＰＵ４４は、再生済フラグが「未再生」と設定されているガイダンス情報ＧＶを選択できたか否かを確認し（ステップＳ４３）、選択できていれば（ステップＳ４３；ＹＥＳ）後述するステップＳ４５の処理に移行する。一方、抽出したガイダンス情報ＧＶＤ１等のうち対応する再生済フラグが「未再生」の旨に設定されているものがない場合（ステップＳ４３；ＮＯ）、次にＣＰＵ４４は、抽出したガイダンス情報ＧＶＤ１等の各々に対応する再生回数フラグにより示されている再生回数のうち、最も再生回数が少ないガイダンス情報ＧＶを選択する（ステップＳ４４）。
【０１１５】
そしてＣＰＵ４４は次に、ステップＳ４２又はＳ４４の動作により選択されたガイダンス情報ＧＶと、それが再生されるべきガイダンス端末２０を識別するためのガイダンス端末識別情報ＩＤＧ（換言すれば、ステップＳ４１の動作によって受信されたガイダンス端末識別情報ＩＤＧのうち、選択されたガイダンス情報ＧＶに関連付けられていたもの）と、を対として、コンテンツサーバ４０から配信端末３０に送信する（ステップＳ４５。図４ステップＳ３６参照）。この後ＣＰＵ４４は、ステップＳ４５の動作により送信されたガイダンス情報ＧＶに対応する上記再生済フラグの内容をコンテンツデータベース５０内において「再生済」に変更すると共に、同様に対応する再生回数フラグの内容を「１」だけインクリメントする。
【０１１６】
その後ＣＰＵ４４は、コンテンツサーバ４０の電源スイッチがオフとされたか否かを確認し（ステップＳ４６）、電源スイッチがオフとされていないときは（ステップＳ４６；ＮＯ）、そのまま上記ステップＳ４１に戻って上述した一連の動作を繰り返す。一方ステップＳ４６の判定において、コンテンツサーバ４０の電源スイッチがオフとされているときは（ステップＳ４６；ＹＥＳ）、そのままコンテンツサーバ４０としての動作を停止する。
【０１１７】
以上夫々説明した第１実施例に係るセンサ端末１０等の動作により、各展示物Ｄの前に移動してきた利用者Ｈに対して、タイミング良くその展示物Ｄに関するガイダンス情報ＧＶを聴取させることができる。また、例えば図５（ｂ）に例示する如く複数のセンサ端末１０に係る検出可能領域Ａ１及びＡ２内に同時に一の利用者Ｈが存在する場合でも、当該利用者Ｈが携行しているガイダンス端末２０と各センサ端末１０夫々との間の距離に基づき、利用者Ｈから見て最も近い位置にある展示物Ｄ（図５（ｂ）に例示される場合は展示物Ｄ１）についてのガイダンス情報ＧＶＤ１を、そのガイダンス端末２０から利用者Ｈに聴取させることができる。
【実施例２】
【０１１８】
次に、上記実施形態に則した本発明の他の実施例である第２実施例について、図１、図２及び図３並びに図６及び図７を用いて説明する。なお、以下に説明する第２実施例は、当該センサ端末１０とその検出可能領域内に移動して来た利用者が携行するガイダンス端末２０との間の距離を、ガイダンス端末２０において測定する場合の実施例である。
【０１１９】
また、第２実施例に係るセンサ端末１０、ガイダンス端末２０、配信端末３０及びコンテンツサーバ４０夫々の細部構成は、基本的に第１実施例に係るセンサ端末１０、ガイダンス端末２０、配信端末３０及びコンテンツサーバ４０夫々の細部構成と同一である。よって以下の説明では、図２及び図３並びにそれらの中で用いられている構成部材の部材番号を代用することとして、第２実施例に係るセンサ端末１０等の細部構成の説明を省略する。
【０１２０】
次に、第２実施例に係るセンサ端末１０、ガイダンス端末２０、配信端末３０及びコンテンツサーバ４０夫々の動作について、図１に示す鑑賞補助システムＳにおける場合を例として、図６及び図７を用いて時系列に沿って纏めて説明する。なお、図６は当該センサ端末１０等の動作を夫々に示すフローチャートであり、図７はセンサ端末１０による利用者の検出の態様を具体的に例示する図である。また、図６及び図７において、図４及び図５に示す第１実施例の同一の動作及び部材等については、同一のステップ番号及び同一の部材番号を付して細部の説明を省略する。
【０１２１】
図６左端に示すように、先ず第２実施例に係るセンサ端末１０では、第１実施例に係るセンサ端末１０の動作におけるステップＳ１０及びＳ１１と同様の動作が実行される（図６及び図４ステップＳ１０及びＳ１１）。
【０１２２】
そして、各センサ端末１０からのセンサ波の照射により利用者Ｈの存在が検出可能領域Ａ１又はＡ２（図７参照）内において検出できたとき、センサ端末１０は次に、自身を識別するためのセンサ識別情報ＩＤ１等のみを、当該センサ端末１０からその正面に位置する利用者に携行されているガイダンス端末２０に送信する（ステップＳ１５。図６ステップＳ２１及び図７参照）。
【０１２３】
ここで第２実施例に係る場合、例えば図７（ａ）に例示するように一つの検出可能領域Ａ１内に複数の利用者Ｈ１乃至Ｈ３が存在することが検出されたときには、夫々のガイダンス端末２０においてセンサ端末１０からの同一のセンサ識別情報ＩＤ１を受信することとなる。
【０１２４】
その後、センサ端末１０は、第１実施例に係るセンサ端末１０の動作におけるステップＳ１４と同様の動作を実行して（図６及び図４ステップＳ１４）、第２実施例に係るセンサ端末１０としての動作を停止する。
【０１２５】
次に、第２実施例に係るガイダンス端末２０の動作について、図６左から二番目のフローチャートを用いて説明する。
【０１２６】
当該フローチャートに示すように、当該ガイダンス端末２０内のＣＰＵ２７は、先ず第１実施例に係るガイダンス端末２０の動作におけるステップＳ２０及びＳ２１と同様の動作を実行する（図６及び図４ステップＳ２０及びＳ２１）。そして、センサ識別情報ＩＤ１等のみが受信された場合（ステップＳ２１；ＹＥＳ）、ＣＰＵ２７は次に、それが備えられているガイダンス端末２０とセンサ端末１０との間の距離を測定する（ステップＳ２９）。より具体的には、当該ガイダンス端末２０とそれに対して上記センサ識別情報ＩＤ１等を送信して来たセンサ端末１０との間の距離が測定される。この測長動作についてもまた種々の方法を採ることが可能であり、電波を使用する方法、光を使用する方法又は超音波を使用する方法等、例えばガイダンス端末２０の大きさや求められる精度等に基づいていずれの方法を採用するかが決定される。
【０１２７】
なお、例えば図７（ａ）に例示する如き一つの検出可能領域Ａ１内に複数の利用者Ｈ１乃至Ｈ３が存在する場合、ステップＳ２９の動作としての測長は、単に一つのセンサ端末１０からのセンサ波を各ガイダンス端末２０において夫々別個に受光（受信）すれば可能となる。また、図７（ｂ）に例示する如き二つの検出可能領域Ａ１及びＡ２夫々に同時に利用者Ｈ１が存在する場合でも、各センサ端末１０からの波長が異なるセンサ波を利用者Ｈ１が携行するガイダンス端末２０において夫々受光（受信）することにより、各センサ端末１０を識別して正確に利用者Ｈ１と各センサ端末１０との間の距離を測定することができる。
【０１２８】
そして、センサ端末１０とガイダンス端末２０との間の距離が測定されると、次にＣＰＵ２７は、測定されたセンサ端末１０とガイダンス端末２０との距離を、第１実施例に係る距離閾値と同様の距離閾値と比較する（ステップＳ２２、Ｓ２３。図５（ａ）符号Ｌ参照）。
【０１２９】
そして、ステップＳ２３の判定において測定された距離が距離閾値以上であるとき（ステップＳ２３；ＹＥＳ）、ＣＰＵ２７は、そのガイダンス端末２０を携行している利用者が未だ対応する展示物Ｄ１等を鑑賞してないと判断し、上記ステップＳ２１に戻って上述してきた一連の動作を繰り返す。一方ステップＳ２３の判定において、測定された距離が距離閾値以上でない（すなわち、当該距離閾値未満である）とき（ステップＳ２３；ＮＯ）、ＣＰＵ２７は、そのガイダンス端末２０を携行している利用者が対応する展示物Ｄ１等を鑑賞していると判断して次に、ステップＳ２１の動作において受信済みの上記センサ識別情報ＩＤ１等に対して、ガイダンス端末２０自体を他のガイダンス端末２０から識別するための上記ガイダンス端末識別情報ＩＤＧ１等と、ステップＳ２９の動作により測定された距離を示す測長データＲ１等と、を付加する（ステップＳ２９−１）。その後ＣＰＵ２７は、これらのデータを全て、当該ガイダンス端末２０から配信端末３０に送信する（ステップＳ２５）。
【０１３０】
なお、例えば図７（ｂ）に例示するように一つのガイダンス端末２０が複数のセンサ端末１０から上記センサ識別情報ＩＤ１及びＩＤ２を夫々受信した場合であって且ついずれの距離（ステップＳ２９の動作において測定された距離）も上記距離閾値Ｌを越えていたとき、上記ステップＳ２９−１の処理としてＣＰＵ２７は、受信した全てのデータ（すなわち、上記センサ識別情報ＩＤ１及びＩＤ２）に対して、当該センサ識別情報ＩＤ１及びＩＤ２夫々に対応する測長データＲ１及びＲ２と、一のガイダンス端末識別情報ＩＤＧ（図７（ｂ）の例においては、利用者Ｈ１が携行するガイダンス端末２０を識別するための一のガイダンス端末識別情報ＩＤＧ）を付加する。そしてＣＰＵ２７は、当該一のガイダンス端末識別情報ＩＤＧが付加された各データ（図７（ｂ）の利用者Ｈ１の場合により具体的には、センサ識別情報ＩＤ１及び測長データＲ１を含む対に一のガイダンス端末識別情報ＩＤＧが付加されたデータと、センサ識別情報ＩＤ２及び測長データＲ２を含む対に一のガイダンス端末識別情報ＩＤＧが付加されたデータ）を夫々別個に配信端末３０に送信する（ステップＳ２５）。
【０１３１】
その後ＣＰＵ２７は、第１実施例に係るガイダンス端末２０の動作におけるステップＳ２７及びＳ２８と同様の動作を実行して（図６及び図４ステップＳ２７及びＳ２８）、第２実施例に係るガイダンス端末２０としての動作を停止する。
【０１３２】
次に、第２実施例に係る配信端末３０及びコンテンツサーバ４０夫々の動作であるが、これらは、全て第１実施例に係る配信端末３０及びコンテンツサーバ４０夫々の全く同一の動作を実行する（図６及び図４ステップＳ３０乃至Ｓ３８並びにステップＳ４０乃至Ｓ４６）。
【０１３３】
以上夫々説明した第２実施例に係るセンサ端末１０等の動作による場合でも、第１実施例の場合と同様に、各展示物Ｄの前に移動してきた利用者Ｈに対して、タイミング良くその展示物Ｄに関するガイダンス情報ＧＶを聴取させることができる。
【０１３４】
また、例えば図７（ａ）に例示する如く一数のセンサ端末１０に係る検出可能領域Ａ１内に同時に複数の利用者Ｈ１乃至Ｈ３が存在する場合でも、当該利用者Ｈ１乃至Ｈ３が夫々携行しているガイダンス端末２０夫々とセンサ端末１０との間の距離に基づき、いずれの利用者Ｈ１乃至Ｈ３についても正確にセンサ端末１０からの距離を検出することができる。
【０１３５】
更に例えば図７（ｂ）に例示する如く複数のセンサ端末１０に係る検出可能領域Ａ１及びＡ２内に同時に一の利用者Ｈ１が存在する場合でも、当該利用者Ｈ１が携行しているガイダンス端末２０と各センサ端末１０夫々との間の距離に基づき、利用者Ｈ１から見て最も近い位置にある展示物Ｄ（図７（ｂ）に例示される場合は展示物Ｄ１）についてのガイダンス情報ＧＶＤ１を、そのガイダンス端末２０から利用者Ｈに聴取させることができる。
【０１３６】
以上夫々説明したように、実施形態及び各実施例に係る鑑賞補助システムＳの動作によれば、検出可能領域Ａ１等内に存在する利用者Ｈが携行するガイダンス端末２０を、展示物Ｄ毎且つ個別に識別してガイダンス情報ＧＶを配信するので、当該ガイダンス端末２０を携帯する利用者Ｈに最適なタイミングで必要なガイダンス情報ＧＶを送信して告知することができる。
【０１３７】
従って、過大な設備投資をすることなく、展示物Ｄの関連知識等を最適なタイミングで利用者Ｈに取得させることができるので、結果として利用者Ｈの利便性の向上に資すると共にその動員数の向上を図ることができる。
【０１３８】
また、告知済のガイダンス情報ＧＶがガイダンス端末２０内から消去されるので、ガイダンス端末２０における記憶容量を最小化することができ、当該ガイダンス端末２０の小型化／軽量化を実現することができる。
【０１３９】
更に、第１実施例に係る鑑賞補助システムＳの場合、センサ端末１０から測った利用者Ｈからの距離が最も近い展示物Ｄについてのガイダンス情報ＧＶを配信して告知することができるので、複数の展示物Ｄが近接している場合でも最適なガイダンス情報ＧＶを配信して告知させることができる。
【０１４０】
更にまた、第２実施例に係る鑑賞補助システムＳの場合、ガイダンス端末２０から測った利用者Ｈからの距離が最も近い展示物Ｄについてのガイダンス情報ＧＶを配信して告知することができるので、複数の展示物Ｄを鑑賞可能な位置に利用者Ｈが存在している場合でも、その利用者Ｈにとって最も近い展示物Ｄの鑑賞を補助するためのガイダンス情報ＧＶを配信して告知させることができる。
【０１４１】
また、第２実施例に係る鑑賞補助システムＳの場合更に、展示物Ｄまでの距離をガイダンス端末２０において検出するので、一の展示物Ｄを鑑賞可能な位置に利用者Ｈ１乃至Ｈ３が複数存在している場合でも、ガイダンス情報ＧＶを各利用者Ｈが携帯するガイダンス端末２０に適切に送信して告知させることができる。
【０１４２】
また、ガイダンス情報ＧＶを文字情報として配信端末３０からガイダンス端末２０に配信する場合には、配信端末３０からガイダンス端末２０に送信されるガイダンス情報ＧＶのデータ量を極小化できることで、必要な利用者Ｈに対して高速でタイミング良く必要なガイダンス情報ＧＶを配信して告知させることができる。
【０１４３】
更に、音声情報たるガイダンス情報ＧＶを配信端末３０からガイダンス端末２０に配信する場合には、ガイダンス端末２０の構成をより簡素化しつつ必要なガイダンス情報ＧＶを告知することができる。また、受信したガイダンス情報ＧＶそのまま音声として放音すればよいので、ガイダンス端末２０における処理を簡略化することでガイダンス端末２０における電力消費を極小化することができる。
【０１４４】
また、図４又は図６に夫々示すフローチャートに相当するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係るガイダンス端末２０内のＣＰＵ２７、配信端末３０内のＣＰＵ３５及びコンテンツサーバ４０内のＣＰＵ４４夫々として活用することも可能である。
【産業上の利用可能性】
【０１４５】
以上夫々説明したように、本発明は展示物Ｄの鑑賞を補助する鑑賞補助システムＳの分野に利用することが可能であり、特に、多数の展示物Ｄが展示されている博物館又は美術館における鑑賞補助システムＳの分野に適用すれば特に顕著な効果が得られる。
【符号の説明】
【０１４６】
１０    センサ端末
１１    発光／受光部
１２    処理部
１７、２７、３５、４４    ＣＰＵ
１８、２８    データ送受信部
１９、２９、３７、４７    バス
１０Ｍ、２０Ｍ、３６、４２    記憶部
２０    ガイダンス端末
２１    受光部
２２    受光処理部
２４    スピーカ
２３    音声デコーダ
２５    無線インターフェース
２６    アンテナ
３０    配信端末
３１    アンテナ
３２    無線インターフェース
３３    データ送受信部
３４    サーバインターフェース
４０    コンテンツサーバ
４１    端末インターフェース
４３    データベースインターフェース
４５    操作部
４６    表示部
５０    コンテンツデータベース
Ｓ    鑑賞補助システム
Ｄ１、Ｄ２、Ｄ３    展示物
ＩＤ１、ＩＤ２    センサ識別情報
Ｒ１、Ｒ２    測長データ
ＩＤＧ１、ＩＤＧ２    ガイダンス端末識別情報
ＧＶＤ１、ＧＶＤ２    ガイダンス情報
Ａ１、Ａ２    検出可能領域
Ｈ、Ｈ１、Ｈ２、Ｈ３    利用者
【図１】
2010033557.tif 000003
【図２】
2010033557.tif 000004
【図３】
2010033557.tif 000005
【図４】
2010033557.tif 000006
【図５】
2010033557.tif 000007
【図６】
2010033557.tif 000008
【図７】
2010033557.tif 000009